(57)【要約】【課題】  ＬＥＤアレイの露光位置の補正を容易に行う。【解決手段】    各ＬＥＤアレイバー３２Ｙ〜Ｋは、いずれも感光体２２の回転方向Ｒ方向に湾曲させて取り付けている。よって、各ＬＥＤアレイバー３２Ｙ〜Ｋに伸びが生じると、必ず回転方向Ｒにのみに湾曲する。したがって、制御部１０１行うＢＯＷ補正は、回転方向Ｒの湾曲のみを考慮すれば良い。つまり、ＢＯＷ補正が容易である。また、ＬＥＤアレイバー３２Ｙの一端側をスライドさせ、また、ＬＥＤアレイバー３２Ｍ全体をスライドさせ、すべての両端の位置を揃えるている。よって、全てのＬＥＤ２００を使用させて全倍率補正を行っているので解像度が低下しない。【選択図】        図８
2006076195.tif 000002
【特許請求の範囲】
【請求項１】
回転する像担持体と、
前記像担持体を露光する複数のＬＥＤが配列され、該像担持体に潜像を形成するＬＥＤアレイと、
前記ＬＥＤアレイの両端部を、前記像担持体の回転軸に沿って固定し、前記ＬＥＤアレイを該像端持体の回転方向と同方向、又は逆方向に湾曲させて取り付る取付部と、
前記各ＬＥＤの露光タイミングを変更し、前記像担持体の露光位置を補正する制御手段と、
を備えることを特徴とする画像形成装置。
【請求項２】
前記ＬＥＤアレイを複数備え、
前記取付部は、複数の前記ＬＥＤアレイをすべて同方向に湾曲させて取り付けることを特徴とする請求項１に記載の画像形成装置。
【請求項３】
前記取付部は、前記ＬＥＤアレイの一端部、及び他端部の固定位置のいずれか一方又は両方を、前記像端持体の回転軸方向に、移動可能とする移動手段を備えることを特徴とする請求項１又は請求項２に記載の画像形成装置。
【請求項４】
前記制御手段は、前記各ＬＥＤの露光タイミングの変更と連動し、前記各ＬＥＤの光量を補正することを特徴とする請求項１から請求項３のいずれか１項に記載の画像形成装置。
【請求項５】
温度を測定する温度測定手段を備え、
前記制御手段は、前記温度測定手段の測定結果に基づいて、前記各ＬＥＤの露光タイミングを変更することを特徴とする請求項１から請求項４のいずれか１項に記載の画像形成装置。
【請求項６】
像担持体上への前記ＬＥＤの露光位置を測定する露光位置測定手段を備え、
前記制御手段は、前記露光位置測定手段の測定結果に基づいて、前記各ＬＥＤの露光タイミングを変更することを特徴とする請求項１から請求項４のいずれか１項に記載の画像形成装置。
【発明の詳細な説明】
【技術分野】
【０００１】
本発明は、画像形成装置に関する。
【背景技術】
【０００２】
電子写真方式の画像形成装置は、回転する感光体上に露光手段で潜像を形成し、この潜像を現像器で現像してトナー像を形成し、このトナー像を記録用紙に転写したのち、定着器にて定着している。
【０００３】
そして、露光手段として、複数のＬＥＤが配列されたＬＥＤアレイを用いたものがある。
【０００４】
さて、図１１に示すように、ＬＥＤアレイ１３２を駆動させると熱が発生し、この熱によって、両端部が固定されたＬＥＤアレイ１３２に伸びが生じ、二点破線で示すように、ＬＥＤアレイバー１３２が湾曲する。このため感光体に露光するＬＥＤの露光位置が湾曲する。
【０００５】
したがって、ＬＥＤの露光タイミングをズラして露光位置を点線Ｇとする補正、所謂、ＢＯＷ補正を行ったり、ＬＥＤアレイの温度上昇を小さくし湾曲を少なくしている。（例えば、特許文献１、特許文献２参照）。
【特許文献１】特開２０００−２２９４４０号公報
【特許文献２】特開平０８−２５１４３０号公報
【発明の開示】
【発明が解決しようとする課題】
【０００６】
しかしながら、ＬＥＤアレイ１３２の湾曲方向は、図１１（Ａ）に示す、感光体の回転方向Ｒと、図１１（Ｂ）に示す、感光体の回転方向Ｒと逆方向との、いずれにも湾曲するので、ＢＯＷ補正は複雑であった。
【０００７】
本発明は、上記問題を解決すべく成されたもので、ＬＥＤアレイの露光位置の補正を容易に行うことを目的とする。
【課題を解決するための手段】
【０００８】
請求項１に記載の画像形成装置は、回転する像担持体と、前記像担持体を露光する複数のＬＥＤが配列され、該像担持体に潜像を形成するＬＥＤアレイと、前記ＬＥＤアレイの両端部を、前記像担持体の回転軸に沿って固定し、前記ＬＥＤアレイを該像端持体の回転方向と同方向、又は逆方向に湾曲させて取り付る取付部と、前記各ＬＥＤの露光タイミングを変更し、前記像担持体の露光位置を補正する制御手段と、を備えることを特徴としている。
【０００９】
請求項１に記載の画像形成装置は、回転する像担持体に複数のＬＥＤが配列されたＬＥＤアレイで潜像を形成する。ＬＥＤアレイの両端部は取付部に、像担持体の回転軸に沿って固定され、ＬＥＤアレイを像端持体の回転方向と同方向、又は逆方向に湾曲させて取り付られている。
【００１０】
ＬＥＤアレイは、駆動時に発生する熱などによって、ＬＥＤアレイに伸びが生じ、両端部が固定されたＬＥＤアレイバーが湾曲する。
【００１１】
このため像担持体に露光するＬＥＤの露光位置、すなわち潜像が湾曲する。よって、制御手段は、各ＬＥＤの露光タイミングを変更し、像担持体の露光位置を補正している。
【００１２】
ＬＥＤアレイは、像端持体の回転方向と同方向、又は逆方向に湾曲させて取り付られている。よって、ＬＥＤアレイの伸びによる湾曲方向は、像端持体の回転方向と同方向、又は逆方向にのみ湾曲する。したがって、制御手段は、一方向のみの湾曲を考慮して、露光位置を制御すれば良いので、補正が容易である。
【００１３】
請求項２に記載の画像形成装置は、請求項１に記載の構成において、前記ＬＥＤアレイを複数備え、前記取付部は、複数の前記ＬＥＤアレイをすべて同方向に湾曲させて取り付けることを特徴としている。
【００１４】
請求項２に記載の画像形成装置は、ＬＥＤアレイを複数備えている。複数のＬＥＤアレイは取付部に、すべて同方向に湾曲して取り付けられている。よって、いずれのＬＥＤアレイも同じ方向に湾曲する。
【００１５】
したがって、制御手段は、一方向のみの湾曲を考慮して、露光位置を制御すれば良いので、補正が容易である。
【００１６】
請求項３に記載の画像形成装置は、請求項１又は請求項２に記載の構成において、前記取付部は、前記ＬＥＤアレイの一端部、及び他端部の固定位置のいずれか一方又は両方を、前記像端持体の回転軸方向に取付位置を移動可能とする移動手段を備えることを特徴としている。
【００１７】
請求項３に記載の画像形成装置は、ＬＥＤアレイの一端部、及び他端部の固定位置のいずれか一方又は両方を、像端持体の回転軸方向に取付位置を移動可能とする移動手段を取付部は備えている。
【００１８】
したがって、ＬＥＤアレイの回転軸方向の端部間の距離を調整することで、湾曲量が調整できる。また、ＬＥＤアレイを像担持体の回転軸方向に移動し露光位置が調整できる。
【００１９】
また、ＬＥＤアレイは製造誤差等により、ＬＥＤアレイの長さ（像担持体の回転軸方向の長さ）が若干異なる。すなわち、像担持体の回転軸方向の露光幅に若干の差ができる。しかし、ＬＥＤアレイの回転軸方向の端部間の距離を調整することで、回転軸方向の露光幅を調整、所謂、全倍率補正を行える。
【００２０】
請求項４に記載の画像形成装置は、請求項１から請求項３のいずれか１項に記載の構成において、前記制御手段は、前記各ＬＥＤの露光タイミングの変更と連動し、前記各ＬＥＤの光量を補正することを特徴としている。
【００２１】
請求項４に記載の画像形成装置は、ＬＥＤアレイが伸張し湾曲すると、曲率の違いなどによって、ＬＥＤによる露光間隔が変わる。よって、露光間隔が広がった所は光量が下がり、狭くなった所は光量が上がる。
【００２２】
露光間隔は、各ＬＥＤの露光タイミング（露光位置）から判るので、制御手段は、露光タイミングの変更（露光位置の補正）と連動して、各ＬＥＤの光量を補正している。つまり、ＬＥＤの間隔が広がったところはＬＥＤの光量を上げ、間隔が狭くなったところはＬＥＤの光量を下げ、全体として光量を一様にしている。このため、潜像にムラができない。
【００２３】
請求項５に記載の画像形成装置は、請求項１から請求項４のいずれか１項に記載の構成において、温度を測定する温度測定手段を備え、前記制御手段は、前記温度測定手段の測定結果に基づいて、前記各ＬＥＤの露光タイミングを変更することを特徴としている。
【００２４】
請求項５に記載の画像形成装置は、温度を測定する温度測定手段を備えている。ＬＥＤアレイは温度によって伸張量、つまり湾曲量が変わる。よって、制御手段は、温度測定手段の測定結果に基づいて、各ＬＥＤの露光タイミングを変更（露光位置を補正）している。
【００２５】
請求項６に記載の画像形成装置は、請求項１から請求項４のいずれか１項に記載の構成において、像担持体上への前記ＬＥＤの露光位置を測定する露光位置測定手段を備え、前記制御手段は、前記露光位置測定手段の測定結果に基づいて、前記各ＬＥＤの露光タイミングを変更することを特徴としている。
【００２６】
請求項６に記載の画像形成装置は、像担持体上へのＬＥＤの露光位置を測定する露光位置測定手段を備え、制御手段は、露光位置測定手段の測定結果に基づいて、各ＬＥＤの露光タイミングを変更し、露光位置を補正している。よって、正確な露光位置の補正を行える。
【００２７】
なお、像担持体上へのＬＥＤの露光位置を測定する露光位置測定手段としては、例えば、像担持体にレジストレーションマークを形成し、このレジストレーションマークを読みとって位置を測定し露光位置を調整する、所謂レジストレーションコントロールに用いる手段を適用できる。
【発明の効果】
【００２８】
以上説明したように本発明によれば、ＬＥＤアレイは、像担持体の回転方向と同方向、又は逆方向にのみ湾曲するので、一方向のみの湾曲を考慮して、露光位置を補正すれば良いので、補正が容易である
【発明を実施するための最良の形態】
【００２９】
図１に示すように、画像形成装置としてのカラーレーザープリンタ１０（以下、プリンタ１０という）は、電子写真方式によって画像形成を行っている。
【００３０】
プリンタ１０の内部には、プリンタ１０全体の制御を司る制御部１０１が設けられている。また、プリンタ１０の外装には、各種情報の表示、及びプリンタ１０の各種操作を行う操作パネル１０３が設けられている。
【００３１】
プリンタ１０では、イエロー（Ｙ）、マゼンタ（Ｍ）、シアン（Ｃ）、ブラック（Ｋ）の各色のトナー像をそれぞれ連続紙Ｐに順次転写し、重ね合わせるプリント部１２Ｙ、１２Ｍ、１２Ｃ、１２Ｋ（以下、プリント部１２Ｙ〜Ｋと言う）が搬送方向上流側から順に配置されている。このプリント部１２Ｙ〜Ｋの搬送方向上流側には、連続紙Ｐをプリント部１２Ｙ〜Ｋに搬送する用紙搬送部１４が設けられている。また、プリント部１２Ｙ〜Ｋの搬送方向下流側には、プリント部１２Ｙ〜Ｋで転写された未定着トナー像を連続紙Ｐに定着させる定着部１６、定着部１６を通過した連続紙Ｐを排紙する排紙部１７が設けられている。
【００３２】
なお、ＹＭＣＫを区別する必要がある場合は、符号の後にＹ、Ｍ、Ｃ、Ｋの何れかを付して説明し、ＹＭＣＫを区別する必要が無い場合は、Ｙ、Ｍ、Ｃ、Ｋを省略する。
【００３３】
用紙搬送部１４は、連続紙Ｐが巻掛けられたメインドライブロール１８を備える。図２に示すように、メインドライブロール１８は、ステッピングモータである用紙搬送モータ２０で駆動される。そして、制御部１０１が用紙搬送モータ２０に入力するパルスによって、連続紙Ｐの送り量が制御される。
【００３４】
また、図１に示すように、用紙搬送部１４のメインドライブロール１８の搬送方向上流側には、連続紙Ｐが巻き掛けられたアイドルロール１９Ａ、１９Ｂが設けられ、メインドライブロール１８の搬送方向下流側には、連続紙Ｐが巻き掛けられたアイドルロール１９Ｃが配設されている。また、アイドルロール１９Ｄがメインドライブロール１８に圧接されている。このアイドルロール１９Ｄとメインドライブロール１８が連続紙Ｐを狭持搬送する。
【００３５】
アイドルロール１９Ａとアイドルロール１９Ｂとの間には、搬送ガイド２６と、アライニングロール２７が配設されている。搬送ガイド２６には、連続紙Ｐが巻掛けられるＵ字状の曲面と、連続紙Ｐの幅方向（搬送方向と直交する方向）の一端部をガイドするサイドガイド（図示省略）が形成されている。
【００３６】
また、アライニングロール２７は、アイドルロール１９Ａ、１９Ｂ、１９Ｃ、１９Ｄよりも格段にロール幅が狭く、回転軸が連続紙Ｐの搬送方向に対して斜めに交差したロールで、連続紙Ｐの幅方向一端部に当接して連続紙Ｐを幅方向の一端側へ寄せる。これによって、連続紙Ｐの幅方向一端部が搬送ガイド２６のガイドガイドに突き当てられ、連続紙Ｐのスキューが補正される。
【００３７】
なお、メインドライブロール１８、アイドルロール１９Ａ、１９Ｂ、１９Ｃ、１９Ｄ、用紙搬送モータ２０、搬送ガイド２６、アライニングロール２７は、直接、又は支持部材を介して用紙搬送フレーム２１に支持されている。また、用紙搬送フレーム２１は基台２３に支持されている。
【００３８】
また、プリント部１２Ｙ〜Ｋは、感光体２２を備え、この感光体２２の回りにはそれぞれ、感光体２２の回転方向（図中矢印方向）に順に転写ロール２４、クリーニング装置２８、帯電チャージャー３０、複数のＬＥＤ２００が配列されたＬＥＤアレイバー３２（図３、図９を参照）、現像器３４が配設されている。プリント部１２Ｙ〜Ｋは、それぞれ感光体２２、クリーニング装置２８、帯電チャージャー３０を支持するプリントフレーム３８Ｙ〜Ｋを備える。隣り合うプリントフレーム３８Ｙ〜Ｋ同士の連結は、各プリントフレーム３８Ｙ〜Ｋを昇降可能に支持する基台２３同士をボルトとナット（共に図示省略）で連結し、各プリントフレーム３８Ｙ〜Ｋ同士を連結板（図示省略）を介して位置決めしてネジ止めすることによって行われる。また、プリントフレーム３８Ｙを支持する基台２３は、用紙搬送フレーム２１を支持する基台２３に連結されている。
【００３９】
図９に示すように、ＬＥＤアレイバー３２は、感光体２２（図１及び図２参照）の回転軸Ｆ方向（主走査方向）に並べた列が、複走査方向に複数配列された複数のＬＥＤ２００と、各ＬＥＤ２００を感光体２２上に結像するセルフォックレンズ２０２（セルフォックは、日本板硝子（株）の登録商標）と、を備えている。そして、断面が凸字状をした柱形状をしている。なお、ＬＥＤアレイバー３２の形状は、任意の形状で良いが、感光体２２の回転軸Ｆ方向に長く、また、感光体２２の回転方向Ｒ方向の幅が狭くなった形状、すなわち、他方向より感光体２２の回転方向Ｒに対して最も撓みやすい形状が良い。
【００４０】
図３に示すように、ＬＥＤアレイバー３２は長手方向（感光体２２の回転軸Ｆ方向）の両端部３２Ａが固定機構部１００に固定されている。また、図６に示すように、ＬＥＤアレイバー３２は、感光体２２の回転方向Ｒに湾曲量Ｌ１、湾曲させて取り付けている。更に、図７に示すように、ＬＥＤアレイバー３２Ｙ〜Ｋのいずれもが、同じ方向（本実施形態では回転方向Ｒ）に湾曲させて取り付けている。
【００４１】
図４と図５とに示すように、固定機構部１００は、両端部に支持ブラケット１０２を備えている。支持ブラケット１０２の上部には、感光体２２の回転軸に対して放射方向に延びる挿入軸１０２Ａが形成されている。この挿入軸１０２ＡはＬＥＤアレイバー３２の両端部３２Ａにあけられた孔３２Ｂに入っている。そして、ＬＥＤアレイバー３２が上方に抜け出ないように、支持ブラケット１０２の挿入軸１０２Ａの上端部はＥリング９０が嵌められている。また、支持ブラケット１０２の挿入軸１０２Ａ間をＬＥＤアレイ３２の孔３２Ｂ間より短くすることで、ＬＥＤアレイバー３２を回転方向Ｒに湾曲させることができる。
【００４２】
なお、孔３２Ｂと挿入軸１０２Ａとが回転自在となっているので、ＬＥＤアレイバー３２の両端部が歪むことなく、ＬＥＤアレイバー３２全体が円弧を描いて湾曲する。また、このような構成及び形状であるので、感光体２２の回転軸方向Ｒに最も湾曲しやすい。よって、支持ブラケット１０２の挿入軸１０２Ａ間をＬＥＤアレイ３２の孔３２Ｂ間より短くしても、例えば、図４での上下方向に湾曲しない。したがって、感光体２２の回転方向Ｒにのみに容易に湾曲させることができる。また、図４での上下方向に湾曲しないので、感光体２２とセルフォックレンズ２０２（図９参照）と感光体２２との距離が一定である。つまり焦点がずれない。
【００４３】
なお、ＬＥＤアレイ３２の両端部３２Ａの孔３２Ｂに相当する孔を支持ブラケット１０２に形成し、支持ブラケット１０２の挿入軸１０２Ａに相当する軸をＬＥＤアレイ３２の両端部３２Ａに形成する構成であっても良い。
【００４４】
支持ブラケット１０２の下部は、固定フレーム１０８にあけられた長孔１０９より幅広の幅広部１０２Ｃが形成されている。そして、長孔１０９を通る固定ビス１１０でネジ止めされて固定されている。しかし、固定ビス１１０を緩めると、長孔１０９の長手方向に支持ブラケット１０９がスライド可能となる。なお、スライド方向Ｓは感光体２２（図１参照）の回転軸Ｆと同じ方向である。更に、固定フレーム１０８の両端部には固定部１０８Ａが形成され、固定部１０８Ａにはスクリュー１０６が挿入する孔１０８Ｂがあけられている。そして、スクリュー１０６の外周に形成されたＥ溝１０６Ａ（図５参照）にＥリング９２を嵌めることで、固定部１０８Ａがスクリュー１０６を回転自在に軸支する。
【００４５】
また、支持ブラケット１０２にはスクリュー１０６が螺合するネジ孔１０２Ｂがあけられている。
【００４６】
そして、固定ビス１１０を緩めた状態で、スクリュー１０６を回転させるとスライド方向Ｓに支持ブラケット１０２がスライドする。したがって、両端部のスクリュー１０６両方を回転させるとＬＥＤアレイバー３２全体がスライドし、一端側、他端側のいずれか一方のみのスクリュー１０６を回転させると、一方のみがスライド方向Ｓにスライドする。なお、固定フレーム１０８はプリントフレーム３８（図１参照）に固定されている。
【００４７】
図３に示すように、温度センサー１２０が固定フレーム１０８に取り付けられており、各ＬＥＤアレイバー３２Ｙ〜Ｋの近傍の温度を検知している。温度センサー１２０の検知結果（ＬＥＤアレイバー３２の近傍の温度情報）は、制御部１０１に送られる。
【００４８】
図２に示すように、転写ロール２４は、感光体２２の上面に当接し、感光体２２と共に連続紙Ｐを挟持搬送し、この際に現像器３４によって感光体２２上に形成されたトナー像を連続紙Ｐに転写させる。また、転写ロール２４は、転写フレーム３６に支持されており、この転写フレーム３６がプリントフレーム３８Ｙ〜Ｋに支持されている。また、２本のガイドロール４０が転写ロールの搬送方向上流側と下流側とで転写フレーム３６に回転可能に支持されている。
【００４９】
また、帯電チャージャー３０は、感光体２２表面を帯電させ、ＬＥＤアレイバー３２は、感光体２２表面をライン露光して潜像を形成する。なお、各ＬＥＤ２００の露光タイミングは、各々個別に制御部１０１によって制御されている。また、各ＬＥＤ２００の露光量も、各々個別に制御部１０１によって、印加する電流を変化さて、制御されている。
【００５０】
そして、現像器３４は、感光体２２に形成された潜像上にトナーを付着させてトナー像を形成する。また、クリーニング装置２８は、連続紙Ｐに転写されずに感光体２２表面に残留した未転写残留トナーを掻き落して除去する。
【００５１】
現像器３４は、感光体２２の軸方向に沿って配設された３本の現像マグネットロール４２と、この３本の現像マグネットロール４２の軸方向に沿って配設され、トナーとキャリアで構成される２成分トナーを３本の現像マグネットロール４２に搬送する搬送マグネットロール４４と、搬送マグネットロール４４の軸方向に沿って配設され、現像器カートリッジ４６内に充填されたトナーとキャリアを攪拌して帯電させ、且つむら無く混合する２本の攪拌スクリュー４８を備える。
【００５２】
また、転写フレーム３６は、プリントフレーム３８（図１参照）に支持されたベースフレーム３７、ベースフレーム３７に回転軸６６を介して回動可能に支持され、転写ロール２４を回転可能に支持する転写ロールフレーム６４、転写ロールフレーム６４に図中上下方向に摺動可能に支持され、２本のガイドロール４０を回転可能に支持するガイドフレーム７４で構成されている。
【００５３】
転写ロールフレーム６４の搬送方向下流端部には係止部６４Ａが設けられている。この係止部６４Ａには、一端部をベースフレーム３７に支持された引張コイルバネ７０の他端部が係止されている。
【００５４】
また、転写ロールフレーム６４の搬送方向下流側の上部には、カム当接面６４Ｂが設けられており、このカム当接面６４Ｂにカム面を当接させるカム７２が、ベースフレーム３７の搬送方向下流側に回転可能に支持されている。このカム７２は、円板状の回転体で、回転半径を約１／４周分拡径されている。
【００５５】
即ち、図中実線で示すように、カム７２がモータ７３によって回転されて拡径部を上向きにしている時は、転写ロールフレーム６４の搬送方向下流側が、引張コイルバネ７０によって上方に引き上げられ、反対に転写ロール２４の位置が下がり、転写ロール２４が感光体２２に圧接される。
【００５６】
また、図中点線で示すように、カム７２が拡径部を下向きにしている時は、転写ロールフレーム６４の搬送方向下流端部が、カム７２によって引張コイルバネ７０の付勢力に抗して押し下げられ、反対に転写ロール２４の位置が上がる。これによって、転写ロール２４が感光体２２から離間する。
【００５７】
また、ベースフレーム３７に上下動可能に支持されたガイドフレーム７４の搬送方向上流端部と下流端部にはそれぞれ係止部７４Ａが設けられており、この係止部７４Ａには、一端部をベースフレーム３７に支持された引張コイルバネ７６の他端部が係止されている。
【００５８】
また、ガイドフレーム７４の搬送方向上流側と下流側の上部には、それぞれカム当接面７４Ｂが設けられており、このカム当接面７４Ｂにカム面を当接させるカム７８、８０が、ベースフレーム３７に回転可能に支持されている。このカム７８、８０は、円板状の回転体で、回転半径を約１／４周分拡径されている。
【００５９】
さらに、カム７８、８０の回転軸７８Ａ、８０Ａにはプーリ（図示省略）が取り付けられており、このプーリ、及びベースフレーム３７に回転可能に支持された駆動プーリ８４にはベルト８２が巻き掛けられている。駆動プーリ８４は、モータ８５によって駆動される。
【００６０】
即ち、図示するように、カム７８、８０が拡径部を下向きにしている時は、ガイドフレーム７４が引張コイルバネ７６の付勢力に抗して押し下げられ、ガイドロール４０の位置が下がる。反対に、図中点線で示すように、カム７８、８０が拡径部を上向きにしている時は、ガイドフレーム７４が引張コイルバネ７６によって引き上げられ、ガイドロール４０の位置が上がる。
【００６１】
また、転写ロール２４にバイアスを印加するバイアス印加手段５０が設けられている。このバイアス印加手段５０から転写ロール２４に印加されるバイアスの極性が制御部１０１によって制御される。
【００６２】
図１に示すように、定着部１６は、フラッシュ定着装置５２、アイドルロール５４Ａ、５４Ｂ、５４Ｃ、及び排紙ロール５６を備える。搬送方向に順に、アイドルロール５４Ａ、５４Ｂ、５４Ｃ、フラッシュ定着装置５２、排紙ロール５６の順に配設されており、これらは、搬送方向と直交する方向の両端部を定着フレーム５８に支持されている。
【００６３】
アイドルロール５４Ａ、５４Ｂ、５４Ｃは、連続紙Ｐの印字面の裏面側に配設されており、アイドルロール５４Ｃは、アイドルロール５４Ｂの上方に配設されている。このため、アイドルロール５４Ａ、５４Ｂ、５４Ｃに巻き掛けられた連続紙Ｐは表裏反転され印字面を上向きにして搬送される。
【００６４】
そして、フラッシュ定着装置５２は、印字面を上向きにして搬送される連続紙Ｐの印字面側に配設されており、連続紙Ｐの印字面に赤外線を照射させる。これによって、連続紙Ｐ上の未定着トナーが加熱されて溶融し、その後、凝固して連続紙Ｐに定着する。
【００６５】
そして、排紙ロール５６は、連続紙Ｐのトナー定着済み領域をプリンタ１０から排紙するが、フラッシュ定着装置５２を通過した連続紙Ｐは、一旦定着部１６から排出されて排紙部１７を通過した後に、定着部１６へ戻り、排紙ロール５６によって排紙される。
【００６６】
排紙部１７には、搬送方向に順に、アイドルロール５９Ａ、張力付与ロール６０、サブドライブロール６１、アイドルロール５９Ｂ、搬送ガイド６２、アライニングロール６３、アイドルロール５９Ｃが配設されており、これらは搬送方向と直交する方向の両端部を直接、又は支持部材等を介して排紙フレーム６５に支持されている。この排紙フレーム６５は、プリントフレーム３８Ｋ、及び定着フレーム５８に連結されている。
【００６７】
サブドライブロール６１は、アイドルロール５９Ａの上方に配設されており、アイドルロール５９Ａ、サブドライブロール６１に巻き掛けられた連続紙Ｐは方向転換されて上方へ搬送される。また、アイドルロール５９Ｂは、サブドライブロール６１に圧接されており、サブドライブロール６１の回転に従動して回転し、サブドライブロール６１と共に連続紙Ｐを狭持搬送する。
【００６８】
また、アイドルロール５９Ａとサブドライブロール６１との間には張力付与ロール６０が配設されており、連続紙Ｐはアイドルロール５９Ａと張力付与ロール６０との間、張力付与ロール６０とサブドライブロール６１との間を蛇行して搬送されている。
【００６９】
張力付与ロール６０は、軸方向の両端部をアーム（図示省略）によって揺動可能に支持されている。また、このアームは、バネ等の付勢手段（図示省略）によって連続紙Ｐ側へ付勢されており、張力付与ロール６０が連続紙Ｐに付勢されている。これによって、連続紙Ｐに張力が付与されている。
【００７０】
また、アームの位置はセンサ（図示省略）によって検出されており、アームの位置が常に定位置に位置するように、サブドライブロール６１の回転数が制御されている。
【００７１】
また、サブドライブロール６１の搬送方向下流側には、搬送ガイド６２と、アライニングロール６３が配設されている。搬送ガイド６２、アライニングロール６３は、用紙搬送部１４に配設された搬送ガイド２６、アライニングロール２７と同様の構成で、連続紙Ｐのスキューを補正する。
【００７２】
そして、搬送ガイド６２の搬送方向下流側にはアイドルロール５９Ｃが配設されている。連続紙Ｐは、このアイドルロール５９Ｃに巻き掛けられ、定着部１６の排紙ロール５６へ向けて方向転換される。
【００７３】
つぎに、プリンタ１０のプリント動作について説明する。
【００７４】
制御部１０１は、用紙搬送モータ２０を駆動して連続紙Ｐを搬送させる。制御部１０１は、転写ロール２４Ｙへ転写バイアス（正バイアス）を印加させて感光体２２Ｙ上に形成されたイエローのトナー像を連続紙Ｐに転写させる。つぎに、連続紙Ｐのイエローのトナー像が転写された領域がプリント部１２Ｍのトナー転写位置まで搬送されると、制御部１０１は、バイアス印加手段５０に転写ロール２４Ｍへ転写バイアスを印加させて感光体２２Ｍ上に形成されたマゼンタのトナー像を連続紙Ｐのイエローのトナー像の上に重ねて転写させる。そして、連続紙Ｐのイエロー、マゼンタのトナー像が転写された領域がプリント部１２Ｃのトナー転写位置まで搬送されると、制御部１０１は、バイアス印加手段５０に転写ロール２４Ｃへ転写バイアスを印加させて感光体２２Ｃ上に形成されたシアンのトナー像を連続紙Ｐのイエロー、マゼンタのトナー像の上に重ねて転写させる。最後に連続紙Ｐのイエロー、マゼンタ、シアンのトナー像が転写された領域がプリント部１２Ｋのトナー転写位置まで搬送されると、制御部１０１は、バイアス印加手段５０に転写ロール２４Ｋへ転写バイアスを印加させて感光体２２Ｋ上に形成されたブラック（Ｋ）のトナー像を連続紙Ｐのイエロー、マゼンタ、シアンのトナー像の上に重ねて転写させる。
【００７５】
なお、各感光体２２Ｙ〜Ｋの各色トナー像の形成も、制御部１０１がＬＥＤアレイバー３２Ｙ〜Ｋを露光し潜像を形成するタイミングなどを調整し、転写時に色ズレが生じないように制御している。
【００７６】
このようにイエロー、マゼンタ、シアン、ブラックの各色のトナー像を順次重ね合わせることでよって形成されたフルカラーの未定着トナー像の領域の先頭が、フラッシュ定着装置５２の赤外線照射領域の入口まで搬送されると、制御部１０１は、フラッシュランプに赤外線を発光させる。連続紙Ｐ上の未定着トナーは、フラッシュ定着装置５２の赤外線照射領域を通過する際にフラッシュランプから発光された赤外線によって加熱され、溶融し、赤外線照射領域を通過した後に凝固して連続紙Ｐに定着する。
【００７７】
つぎに本実施形態の作用について説明する。
【００７８】
図６に示すように、ＬＥＤアレイバー３２を駆動させると熱が発生し、この熱によって、ＬＥＤアレイバー３２に伸びが生じ、二点鎖線で示すように、ＬＥＤアレイバー３２が更に湾曲量Ｌ２だけ湾曲する。（全体としては湾曲量Ｌ）。このため感光体２２の潜像が湾曲する。したがって、制御部１０１は、各ＬＥＤ２００の露光（発光）タイミングを調整し、露光位置が点線Ｇなるように補正する、所謂ＢＯＷ補正を行っている。例えば、図６では、ＬＥＤアレイバー３２の中央のＬＥＤ２００ほど露光タイミングを遅くすることで、露光位置が点線Ｇとなる。
【００７９】
さて、図７に示すように、各ＬＥＤアレイバー３２Ｙ〜Ｋは、いずれも感光体２２の回転方向Ｒに湾曲させて取り付けている。よって、各ＬＥＤアレイバー３２Ｙ〜Ｋに伸びが生じると、必ず回転方向Ｒにのみに湾曲する。したがって、制御部１０１が行うＢＯＷ補正は、回転方向Ｒの湾曲のみを考慮すれば良い。つまり、ＢＯＷ補正が容易である。また、ＢＯＷ補正の為のメモリ領域も（図示略）少なくて済む。
【００８０】
なお、湾曲量Ｌ１（図６参照）は、ＬＥＤアレイバー３２の両端をスライドして位置を変えることで、任意に変えることができる。
【００８１】
また、ＬＥＤアレイバー３２は温度よって伸び量、すなわち、図６の湾曲量Ｌ２が変化し、全体としての湾曲量Ｌが変化する。制御部１０１は、温度と湾曲量Ｌとの関係のデータを予め格納している。また、温度センサー１２０（図３参照）は、各ＬＥＤアレイバー３２Ｙ〜Ｋの近傍の温度を検知し、検知結果を制御部１０１に送っている。そして、制御部１０１は、温度と湾曲量Ｌとの関係のデータと、温度センサー１２０の検知結果（各ＬＥＤアレイバー３２Ｙ〜Ｋの近傍の温度）とでＢＯＷ補正を行っている。よって、ＬＥＤアレイバー３２Ｙ〜Ｋ毎に、且つ、正確なＢＯＷ補正が行われる。
【００８２】
更に、図１０に示すように、ＬＥＤアレイバー３２が湾曲すると、図１０（Ｃ）と図（Ｂ），（Ｄ）とを比較すると判るように、中央部は曲率が小さいので、セルフォックレンズ２０２間が広がる。更に、本実施形態のように複数列の場合は、外側の列のセルフォックレンズ２０２間が広がり内側の列は狭くなる。
【００８３】
このように、感光体２２に露光される露光間が広い場所と狭い場所、換言すると光量が小さい場所と大きい場所とができ、画像に濃淡ムラができる。よって、制御部１０１は、露光タイミング（ＢＯＷ補正）と連動して、各ＬＥＤ２００の光量を補正し、ＬＥＤアレイバー３２全体として光量にムラがなく、一様になるように制御している。
【００８４】
例えば、制御部１０１は、露光タイミングが遅い（ＢＯＷ補正が大きい）ＬＥＤ２００、つまり露光間が広い場所のＬＥＤ２００を、露光タイミングが早い（ＢＯＷ補正が小さい）ＬＥＤ２００、つまり露光間が狭い場所より、印加する電流値を大きくし、光量を大きくする。
【００８５】
また、ＬＥＤアレイバー３２は製造誤差により、ＬＥＤアレイバー３２毎に長手方向の全長に若干の差ができる。また、ＬＥＤアレイバー３２の取り付けにも取付誤差が生じる。
【００８６】
例えば、図７に示すように、ＬＥＤアレイバー３２Ｙは他のものより若干長い。また、ＬＥＤアレイバー３２Ｃは、全体が感光体２２の回転方向Ｒと直交する方向にズレて取り付けられている。（なお、図７は判り易くするため、極端に図示している）。
【００８７】
このため、各ＬＥＤアレイバー３２の重なった部分ＹのＬＥＤ２００（図９参照）のみを使用し、重なっていない部分は使用しない、所謂、全倍率補正を行う。しかし、このようにして全倍率補正を行うと、使用しないＬＥＤ２００があるので、その分、解像度が低下する。
【００８８】
しかし、本実施形態では、図８に示すように、ＬＥＤアレイバー３２Ｙの一端側をスライドさせ、また、ＬＥＤアレイバー３２Ｃ全体をスライドさせ、すべての両端の位置を揃えることができる。よって、全てのＬＥＤ２００を使用させて全倍率補正を行っているので解像度が低下しない。また、サイドレジ（感光体２２の回転軸Ｆ方向）のズレも補正できる。
【００８９】
また、通常、ＬＥＤアレイの固定は、バネ等による付勢手段により固定されている。しかし、本実施形態のようにＬＥＤアレイバー３２を湾曲させて取り付けると、湾曲による反力が働くので、別途付勢手段を設ける必要がない。更に、湾曲方向に対しての剛性が大きくなり、振動しにくくなるので、露光ムラを低減する効果もある。
【００９０】
なお、上記実施形態では、制御部１０１は、温度と湾曲量Ｌとの関係のデータと、ＬＥＤアレイバー３２Ｙ〜Ｋの近傍の温度の検知結果とでＢＯＷ補正を行っていたが、その他の方法でＢＯＷ補正を行っても良い。
【００９１】
例えば、感光体２２の露光位置を測定し、その位置に基づいてＢＯＷ補正を行っても良い。この場合、実際の露光位置に基づいてＢＯＷ補正を行うので、より正確なＢＯＷ補正が行える。
【００９２】
感光体２２の露光位置を測定する方法としては、基準パターンを出力し、この基準パターンをユーザが測定して測定結果を操作パネル１０３（図１参照）から入力する方法、あるいは、所謂レジコン（レジストレーションコントロール）を用いる方法がある。
【００９３】
以下に、このレジコンの一例を簡単に説明する。図１に示すように、各感光体２２Ｙ〜Ｋにレジストレーションマーク（図示略）を形成して連続紙Ｐに転写し、それら各色レジストマーク３０２の相対位置をＣＣＤなどの光検出器３０４で検出し、その検出結果に基づき、各ＬＥＤアレイバー３２Ｙ〜Ｋの露光タイミングを補正し、各色の色ズレを補正する。
【００９４】
そして、前述したように、このレジコンに用いる検出結果に基づいて制御部１０１がＢＯＷ補正を行う。
【００９５】
尚、上記実施形態に限定されない。
【００９６】
例えは、上記実施形態では、Ｙ、Ｍ、Ｃ、Ｋの４色のフルカラーレーザープリンタを例に取って説明したが、４色に限らず、ライトマゼンタ等、他の色を追加した５色以上のフルカラーレーザープリンタにも適用可能である。あるいは、３色以下のレーザプリンターにも適用可能である。
【００９７】
また、例えば、上記実施形態では、連続紙Ｐに画像形成したが、カット紙などのその他の記録媒体に画像を形成する画像形成装置であっても良い。
【図面の簡単な説明】
【００９８】
【図１】本発明の実施形態のカラーレーザープリンタの概略を示す図である。
【図２】本発明の実施形態のカラーレーザープリンタのプリント部の概略を示す図である。
【図３】ＬＥＤアレイバーと固定機構部とを示す図である。
【図４】ＬＥＤアレイバーと固定機構部との両端部を模式的に示す断面図である。
【図５】固定機構部の一端部を示す分解斜視図である。
【図６】ＬＥＤアレイバーの湾曲を模式的に示す図である。
【図７】各ＬＥＤアレイバーが固定機構部に取り付けられている状態を示す模式図である。
【図８】各ＬＥＤアレイバーをスライドさせ、全倍率補正を行った状態を示す模式図である。
【図９】（Ａ）はＬＥＤアレイバーを上方から見た模式図であり、（Ｂ）はＬＥＤアレイバーの断面を示す模式図である。
【図１０】湾曲したＬＥＤアレイバーのセルフォックレンズの間隔が広がった状態を模式的に示し、（Ａ）は全体の図であり、（Ｂ）は一端部を拡大した図であり、（Ｃ）は中央部を拡大した図であり、（Ｄ）は他端部を拡大した図である。
【図１１】従来のＬＥＤアレイバーが湾曲した状態を示し、（Ａ）は回転方向に湾曲した状態を示す図であり、（Ｂ）は回転方向と反対方向に湾曲した状態を示す図である。
【符号の説明】
【００９９】
１０        カラーレーザープリンタ（画像形成装置）
２２Ｙ〜Ｋ  感光体（像担持体）
３２        ＬＥＤアレイバー（ＬＥＤアレイ）
１００        固定機構部（取付部）
１２０        温度センサー（温度測定手段）
１０２Ｂ      ネジ孔（移動手段）
１０６        スクリュー（移動手段）
１０１        制御部（制御手段）
１０８Ａ      固定部（移動手段）
１０９        長孔（移動手段）
２００        ＬＥＤ
３０２        レジストレーションマーク（露光位置測定手段）
３０４        光検出器（露光位置測定手段）
Ｆ        回転軸
Ｒ        回転方向
【図１】
2006076195.tif 000003
【図２】
2006076195.tif 000004
【図３】
2006076195.tif 000005
【図４】
2006076195.tif 000006
【図５】
2006076195.tif 000007
【図６】
2006076195.tif 000008
【図７】
2006076195.tif 000009
【図８】
2006076195.tif 000010
【図９】
2006076195.tif 000011
【図１０】
2006076195.tif 000012
【図１１】
2006076195.tif 000013